【事件の表示】
　特願２０１９−８６６０３「遊具複合体」拒絶査定不服審判事件〔令和２年１０月２２日出願公開、特開２０２０−１７１６５１〕について、次のとおり審決する。
【結　論】
　本件審判の請求は、成り立たない。
【理　由】
第１　手続の経緯
　本願は，平成３０年４月１０日の出願であって，その手続の経緯は以下のとおりである。
　令和１年　７月２９日付け　拒絶理由通知
　令和１年　９月　４日付け　意見書・手続補正
　令和１年１０月　９日付け　拒絶査定
　令和１年１１月２０日付け　審判請求・手続補正
　令和２年　８月　４日付け　拒絶理由通知
　令和２年　８月２４日付け　意見書
第２　当審の判断
　１　本願発明
　本願の請求項１に係る発明（以下「本願発明」という。）は，令和１年１１月２０日付けで補正された特許請求の範囲における，請求項１に記載された事項によって特定されるものであり，その記載は次のとおりである。
　「【請求項１】
　複数の遊具を配置する複合体であって，空洞を形成する立体の内部と外部に，それぞれ異なる遊具を配置することを特徴とする遊具複合体。」
　２　引用文献に記載された事項
　（１）引用文献１
　令和２年８月４日付け拒絶理由に引用され，本願の出願前に頒布された刊行物である国際公開２０１１／１５８４２３号（以下「引用文献１」という。）には，図面とともに，以下の事項が記載されている。（下線は，当審で付与した。他の下線についても同じ。）
　ア「【０００６】
　上記課題を達成するための本発明は，遊具装置本体と回転基体とを備えた回転遊具装置を前提とする。そして，
遊具装置本体は，遊戯室と，気密性部材と，送風手段とを備える。遊戯室は，遊戯領域を仕切る仕切部材で囲まれた領域であり，気密性部材は，遊戯室の壁部を構成する仕切部材の下方に設けられる
遊戯室内の空気を対流させるための送風手段を遊戯室内に備え，遊戯室に配置された複数の風船が送風手段により乱舞する
　イ「【００１１】
　上記の構成において，
遊具装置本体を構成する遊戯室の上部から，ユーザが掴まることが可能な把持部材を垂下させる構成を採用することができる
　ウ「【００１６】
　すなわち，図１に示すように，本発明の回転遊具装置１００は，遊具装置本体１１０と，回転基体２００を備える。上記遊具装置本体１１０は，複数のブロア１６０を有する遊戯室を備える。本実施例では，以下のようにして，図２に示す上面視６角形状の遊具装置本体１１０を形成した。なお，以下では
ユーザ（幼児等を想定している）が遊戯する部屋を遊戯室と称する
【００１７】
　まず，後述の回転基体２００上に６角形を形成する位置に支柱１１８を立設する。当該各支柱１１８の内，隣同士の支柱１１８の上端同士を連結することで，遊戯室枠体１２０を形成する。あるいは，平面状の６角形状の枠体を予め形成しておき，上記各支柱１１８の上端と，当該６角形枠体のいずれか一の頂点付近同士とを結合し，上記遊戯室枠体１２０を形成する構成を採用することができる。
【００１８】
　上記のように形成された遊戯室枠体１２０に，遊戯室の壁面として透光性の素材で形成されたシート１２２を張る。このとき，上面視６角形状の上記遊戯室枠体１２０の５側面（入口となる部分を除く），及び，上面の６箇所の側面に，上記透光性素材のシート１２２を張る構成を採用する。
【００１９】
　上記透光性素材のシート１２２で形成された壁面には所定の空気孔が形成される。本発明の回転遊具装置１００は，上記
遊戯室内部に風船１６２（空気が充填された状態の風船を言う。以下同じ。）を多数配置し，当該風船１６２が旋回することを前提としている
　エ「【００２３】
　上記のように形成された遊
具装置本体１１０には，ユーザが掴まることのできる把持部材１４０が備えられる。本実施例では，把持部材１４０として上記遊戯室の上部からボールを垂下する構成を採用した。例えば，上記遊戯室上部の頂点付近に屈曲部材の一端を回転自在に配置し，当該屈曲部材の他端から上記ボールを吊り下げ部材で吊り下げる構成を採用することができる
　したがって，引用文献１には，以下の発明（以下，「引用発明１」という。）が記載されていると認められる。
　「遊戯室，気密性部材，送風手段を備えた遊具装置本体と，回転機体と，からなる回転遊具装置であって，
　幼児等が遊戯する遊戯室は，遊戯領域を仕切る仕切部材で囲まれた領域であり，
　気密性部材は，遊戯室の壁部を構成する仕切部材の下方に設けられ，
　送風手段は，遊戯室内の空気を対流させて，遊戯室に配置された複数の風船が乱舞するために遊戯室内に備えられ，
　遊具装置本体を構成する遊戯室の上部から，遊戯室上部の頂点付近に屈曲部材の一端を回転自在に配置し，当該屈曲部材の他端から上記ボールを吊り下げ部材で吊り下げてユーザが掴まることが可能な把持部材を垂下した回転遊具装置。」
　（２）引用文献２
　令和２年８月４日付け拒絶理由に引用され，本願の出願前に頒布された刊行物である特開２０１１−１０３９７１号公報（以下「引用文献２」という。）には，図面とともに，以下の事項が記載されている。
　ア「【００１２】
  以下に，本発明の遊具装置１００について図面を参照して説明する。図１は，本発明の遊具装置１００の全体構成を示す概略模式図であり，図２は後述の装飾カバーを示す図であり，図３，図４は，回転基体の概略模式図を示している。ただし，本発明に直接には関係しない各部の詳細は省略している。
  すなわち，図１に示すように，
本発明の遊具装置１００は，中空の登り台２００と，当該登り台の側面に設置される装飾台３００とを備える
【００１３】
  
登り台２００は，所定の高さを備えた上面視矩形状の基体２１０の上面短手方向両端部に，一対の登り台側面２１５を形成する。上記一対の登り台側面２１５は，その各上端を結合することで，上記登り台２００に断面形状（側面形状）が三角形状の空洞が形成される
【００１４】
  上記
登り台２００の内側には，鏡２２０が張り付けられる
  上記
登り台２００側面の外側には，ユーザ（幼児や年少者を想定している）が登り降り可能な昇降手段が設けられる。例えば，本実施例では，上記登り台２００側面に梯子２５０をかけて昇降手段とする
【００１５】
  更に，図２に示すように，上記昇降手段として，岩の形状を模した大小様々の把持部材２６０を複数形成し，各把持部材２６０を所定間隔空けて上記登り台２００側面に固定する構成を採用することができる。
  次に装飾台３００を形成する。
装飾台３００は，上記登り台２００の側面に設けられる台で，後述のように，装飾台３００の一方面には，装飾が施された回転板が設けられる
【００１６】
  まず，上記登り台２００の側面形状（空洞の形状をいう）と略同じ形状の側面基体３０５を形成する。例えば，本実施例では，
登り台２００の側面形状は三角形状としたので，側面基体３０５の形状も三角形状とする
【００１７】
  上記
側面基体３０５の一方端面には，回転可能な装飾部材が設けられる
  まず，大小一対のプーリを積層し，積層したプーリ（以下積層プーリ３２０と称す）を形成し，当該積層プーリ３２０の下面中央を回転軸３３０により軸支する。回転軸３３０の他端（上記積層プーリ３２０が固定されていない側）を突出させた状態（すなわち，側面基体３０５に貫通させた状態）で，当該回転軸３３０を上記側面基体３０５の一方端面に配置する。回転軸３０５の配置は任意であるが，本実施例では，複数の回転軸３３０を配置し，所定間隔をあけて上記側面基体３０５の一方端面に各回転軸３３０を配置した。図４では，各回転軸３３０が三角形の頂点及び，重心に位置するように配置した。」
　イ「【００２１】
  次に，上記円形状の回転板に，装飾部材を配置する。本実施例では，上記
回転板を装飾シートで被覆し，当該装飾シートの上に，ＬＥＤ等の電飾部材を複数配置した
　ウ「【００２５】
  したがって，本発明の
遊具装置１００は，登り台２００の外側を通常の山型の遊具装置１００として使用でき，登り台２００の内側に貼り付けられた鏡２２０に映る像が万華鏡のように次々と変化する遊具として機能することができる
　したがって，引用文献２には，以下の発明（以下，「引用発明２」という。）が記載されていると認められる。
　「中空の登り台と，当該登り台の側面に設置される装飾台とを備える遊具装置であって，
　登り台は，所定の高さを備えた上面視矩形状の基体の上面短手方向両端部に，一対の登り台側面を形成し，
　上記一対の登り台側面は，その各上端を結合することで，上記登り台に断面形状（側面形状）が三角形状の空洞が形成され，
　上記基体の上面及び，上記一対の登り台側面の内側全面に鏡を張り付けるとともに，上記登り台側面の外側には，幼児や年少者が登り降り可能な梯子や岩の形状を模した大小様々の把持部材などの昇降手段が設けられ，
　上記登り台の側面には，装飾台が設けられ，該装飾台の一方面には，装飾シートで被覆され，当該装飾シートの上に，ＬＥＤ等の電飾部材を複数配置することで装飾が施された回転板が設けられており，
　登り台の外側を通常の山型の遊具装置として使用でき，登り台の内側に貼り付けられた鏡に映る像が万華鏡のように次々と変化する遊具装置。」
　（３）引用文献３
　令和２年８月４日付け拒絶理由に引用され，本願の出願前に頒布された刊行物である特開２０００−１１６９５９号公報（以下「引用文献３」という。）には，図面とともに，以下の事項が記載されている。
　ア「【０００５】
【発明の実施の形態】次に，本発明の好ましい実施の形態を図１，２に基づいて詳細に説明する。
１は主体部周面に階段部２が波状に形成されてドーム形魚礁のごとき外観を呈するコンクリート製の登り台であって，この登り台１は地上に並べて設置された４個のコンクリート製の中空の縦割りブロック１ａと，２個の縦割りブロック１ａ，１ａ間に介在させて地上に設置されたコンクリート製の中空ブロック状の滑り台５とを組み合わせたものである
　イ「【０００９】次に，図３〜図６に示される他の好ましい実施の形態を詳細に説明する。この実施の形態は，前記好ましい実施の形態
の登り台１と滑り台５のほかに，仕切壁板１０と，ドーム構造体１５と，ネット１７を組み込んだものである。この仕切壁板１０は多数のチーク材を繋ぎ合わせたパネルよりなり
【００１０】一方，
登り台１の上方を被套するトラスにより骨組みされたドーム構造体１５には複数の通り抜け孔１６が形成されている
また，前記ネット１７はドーム構造体１５の上面に被覆固定されるもので，このネット１７にはドーム構造体１５の通り抜け孔１６と一致する通り抜け孔１８が形成されている
　ウ「【００１２】そして，構築されたコンクリート製遊具で遊ぶときには，登り台１の周面に階段部２が波状に形成されているから，遊戯者が身長や体力に応じて自分が登れる高さの階段部２を探しつつ登り台１を登ってゆくことができるものであるが，登り台１の各階段部２間が通り抜け孔１２を複数形成した仕切壁板１０により仕切られ，また，登り台１の上方に通り抜け孔１６を複数形成したドーム構造体１５が被套されて，このドーム構造体１５には前記した通り抜け孔１６と一致させた通り抜け孔１８を形成したネット１７が被覆固定されているから，地面に近いネット１７の通り抜け孔１８，あるいは
ネット１７をよじ登って上方の通り抜け孔１８から，ドーム構造体１５の通り抜け孔１６を通じて内部に進入するか，ネット１７の頂部まで登り，頂部の通り抜け孔１８からドーム構造体１５の通り抜け孔１６を通じて内部に進入する。そして，ドーム構造体１５の頂部から進入した場合は，その場所は滑り台５の待機台５ａであるので，そのまま滑り台５の滑走部７に進んで滑走遊戯を楽しめば良い
【００１３】そして，ネット１７の上方の通り抜け孔１８や下方の通り抜け孔１８を通じてドーム構造体１５内に進入した遊戯者は，階段部２間に立設された仕切壁板１０により進路を阻まれることとなる。そこで，遊戯者は仕切壁板１０の形成された通り抜け孔１２を見つけるために仕切壁板１０に沿って地面あるいは波状隆起３上を歩き，通り抜け孔１２を探すこととなるが，この時，地面あるいは波状隆起３の位置から遊戯者自身が進入できる高さにある通り抜け孔１２を見つける必要がある。そして，通り抜けできる通り抜け孔１２が見つかったら，その通り抜け孔１２より次の階段部２に進入する。この階段部２も前記と同様，仕切壁板１０により仕切られているので前記同様，遊戯者自身が進入できる高さにある通り抜け孔１２を見つける必要がある。このような遊びを行いつつ滑り台５の待機台５ａまで登ったら，滑り台５の待機台５ａから滑走面７の滑り出し面７ａに移動し，斜面７ｂへ滑り出せばよく，滑走後，遊戯者は斜面７ｂに続く水平端部７ｃにより減速されて地面に着地するものである。また，前記説明では，滑り台５による滑走遊戯を楽しむものとしているが，
ドーム構造体１５やドーム構造体１５に被覆固定されたネット１７を利用してジャングルジムのような遊びをしても良い
　したがって，引用文献３には，以下の発明（以下，「引用発明３」という。）が記載されていると認められる。
　「地上に並べて設置された４個のコンクリート製の中空の縦割りブロックと，２個の縦割りブロック間に介在させて地上に設置されたコンクリート製の中空ブロック状の滑り台とを組み合わせた主体部周面に階段部が波状に形成されてドーム形魚礁のごとき外観を呈するコンクリート製の登り台に，仕切壁板と，ドーム構造体と，ネットを組み込み，
　仕切壁板は多数のチーク材を繋ぎ合わせたパネルよりなり，登り台の各階段部間を仕切り，高さを異ならせた通り抜け孔が複数の形成されており，
　登り台の上方を被套するトラスにより骨組みされたドーム構造体には，複数の通り抜け孔が形成され
　ネットはドーム構造体の上面に被覆固定されるもので，このネットにはドーム構造体の通り抜け孔と一致する通り抜け孔が形成され，
　地面に近いネットの通り抜け孔，あるいはネットをよじ登って上方の通り抜け孔から，ドーム構造体の通り抜け孔を通じて内部に進入するか，ネットの頂部まで登り，頂部の通り抜け孔からドーム構造体の通り抜け孔を通じて内部に進入したり，滑り台の滑走部に進んで滑走遊戯を楽しみ，ドーム構造体やドーム構造体に被覆固定されたネットを利用してジャングルジムのような遊びを行うコンクリート製遊具。」
　（４）引用文献４
　令和２年８月４日付け拒絶理由に引用され，本願の出願前に頒布された刊行物である実願平２−６４２９０号（実開平４−２２９７９）のマイクロフィルム（以下「引用文献４」という。）には，図面とともに，以下の事項が記載されている。
　ア「これらの図中（１）は底部が開口し，かつ中空状をなす三角錐形状の筐体であり，この
筐体（１）は横長の木材（1a），（1b），（1c）・・・（1n）を略高さ方向に結合して三角錐状に組立てられている。（２）は筐体（１）の下方隅部に立設された例えば角材状の脚部であり，この脚部（２）により筐体（１）の下縁と床面（３）との間に間隔が設けられている。この間隔としては幼児ないし大人が屈んで筐体（１）内に入ることができる寸法に設定される
　
（４）は紐やゴム等の部材（５）によって吊り下げられた吊り具であり，部材（５）の一端は，例えば本材（1b）と木材（1c）との適位置の接合部分に取付けられ，かつ他端には適形状をなす吊り具（４）が取付けられている。この吊り具（４）は筐体（１）の外面側および／もしくは内面側に適数設けられている
　また，
（６）は，例えば四角形状に組まれた木材からなる囲い部材で床上に配され，その内側には多数の木片（７）が設けられている。なお，脚部（２）は囲い部材（６）の中に設けられている
　イ「すなわち，例えば
内部に人Ｍが入り，吊り具（４）を内壁部（1B）に当てたり，叩きつけたりすると振動・共鳴音発生装置のスプリング（９）が振動し，また，内部の空間部分が共鳴箱として作用し，その振動が外壁部（1A）や内壁部（1B）に伝達され，手で触るとビーンと響き触角を刺激する
　ウ「さらに，
囲い部材（６）中に木片（７）があり，この木片（７）を積木のようにして遊ぶことも可能であり
　したがって，引用文献４には，以下の発明（以下，「引用発明４」という。）が記載されていると認められる。
　「横長の木材を略高さ方向に結合して三角錐状に組立てた筐体は，底部が開口し，かつ中空状をなすものであり，筐体の下方隅部に立設された例えば角材状の脚部により，筐体の下縁と床面との間に幼児ないし大人が屈んで筐体内に入ることができる寸法に設定された間隔が設けられており，
　該脚部は囲い部材の中に設けられており，
　筐体の外面側および内面側には，吊り具が適数設けられており，該吊り具は，一端が例えば本材と木材との適位置の接合部分に取付けられた紐やゴム等の部材の他端に取付けられ，
　囲い部材は，四角形状に組まれた木材からなる囲い部材で床上に配され，その内側には多数の木片が設けられている遊具であって，
　筐体の内部に人Ｍが入り，吊り具を内壁部に当てたり，叩きつけたりすると振動・共鳴音発生装置のスプリングが振動し，また，内部の空間部分が共鳴箱として作用し，その振動が外壁部や内壁部に伝達され，手で触るとピーンと響き触角を刺激し，
　囲い部材中の木片を積木のようにして遊ぶことも可能である遊具。」
　（５）引用文献５
　令和２年８月４日付け拒絶理由に引用され，本願の出願前に頒布された刊行物である特開昭５５−２４０２１号公報（以下「引用文献５」という。）には，図面とともに，以下の事項が記載されている。
　ア「第１図は本発明に係る複合遊戯装置の一実施例を示す全体斜視図である。同図において，
１は複合遊戯装置を示し，この複合遊戯装置１は
船体３は主として丸太を組合せて所謂バイキング舟に似た形状に形成され，その船首部４が前記人工池２に臨んでいる。また船体３の上甲板５上には船楼６が丸太によつて設置されると共に上甲板５の前後および中央に３本のマスト７〜９が建てられ，これらマスト７〜９にそれぞれ帆１０が取付けられている
　イ「前記
船首部４の船舷には第２図に示すように鎖１１によつてそれぞれ吊り下げられた重量の異なる複数個の錨１２（第１図では図の繁雑化を避けるため１個のみ示す）が設置されており，この鎖１１に連繋されたロープ１３を上甲板５上で引張つたり緩めたりすることにより，前記錨１２を上下させて遊べるように構成されている
船首部４の船舷下部には窓１５が適当な間隔をおいて船体３の長手方向に多数形成されている。これらの窓１５には第１図および第３図に示すように船体３内で座つて漕いで遊べるオール１６がそれぞれ配設されている
　ウ「また，人工池２の辺から船体３の上甲板５にかけてロープを円筒状に網組みした籠くぐり２１（第１図および第４図参照）が設置されており，この籠くぐり２１をくぐつて地上から上甲板５へ上つたりあるいは上甲板５から地上に降れるようになつている。さらに，地上から前記船楼６にかけてはロープを縦横に網組みして略階段状に形成したネツト登り２２が設置されている。そのため，このネツト登り２２を登つていけば直接船楼６上に達することができる。」（第２頁右上欄第１６行〜同頁左下欄第５行）
　エ「前記
マスト７〜９にはそれぞれネツト３１〜３３が設置されており，これら縄ばしご３１〜３３をつたつて見張台３４〜３６に上れるようになつている。さらに，マスト７の見張台３４と船楼６の間および船楼６とマスト９の見張台３６の間には吊り橋３７，３８がそれぞれ設置されることにより，マスト７，８，９間を自在に往き来することができるようになつている
　したがつて，引用文献５には，以下の発明（以下，「引用発明５」という。）が記載されていると認められる。
　「主として丸太を組合せて所謂バイキング舟に似た形状に形成された船体の上甲板上には船楼が丸太によつて設置されると共に，上甲板の前後および中央に３本のマストが建てられ，これらマストにそれぞれ帆が取付けられており，
　船首部の船舷には鎖によつてそれぞれ吊り下げられた重量の異なる複数個の錨が設置されており，この鎖に連繋されたロープを上甲板上で引張つたり緩めたりすることにより，前記錨を上下させて遊べるように構成され，
　船首部の船舷下部には窓が適当な間隔をおいて船体の長手方向に多数形成され，これらの窓には船体内で座つて漕いで遊べるオールがそれぞれ配設されており，
　マストに設置されたネツトをつたつて見張台に上れるように，マストの見張台と船楼の間および船楼とマストの見張台の間にそれぞれ設置された吊り橋により，マスト間を自在に往き来することができるようになつている複合遊戯装置。」
　３　対比
　（１）本願発明と引用発明１とを対比する。
　引用発明１の「遊戯室」は，本願発明の「空洞」に相当する。
　引用発明１の「遊戯室」を備える「遊具装置本体」は，本願発明の「（空洞を形成する）立体」に相当する。
　引用発明１の「複数の風船」は，本願発明の「遊具」のうち「立体の内部に配置」されたものに相当する。
　引用発明１の「ボール」は，本願発明の「遊具」のうち「立体の外部に配置」されたものに相当する。
　引用発明１の「遊具装置本体」は，空洞を形成する立体の内部と外部に，それぞれ異なる遊具を配置しているといえるから，本願発明の「複数の遊具を配置する複合体」及び「遊具複合体」に相当する。
　以上のことより，両者は，
　「複数の遊具を配置する複合体であって，空洞を形成する立体の内部と外部に，それぞれ異なる遊具を配置することを特徴とする遊具複合体。」
　である点で一致し，相違点はない。
　（２）本願発明と引用発明２とを対比する。
　引用発明２の「中空の登り台」の「中空」の部分は，本願発明の「空洞」に相当する。
　引用発明２の「登り台」は，本願発明の「（空洞を形成する）立体」に相当する。
　引用発明２の「鏡」，「回転板」は，本願発明の「遊具」のうち「立体の内部に配置」されたものに相当する。
　引用発明２の「梯子」，「把持部材」は，本願発明の「遊具」のうち「立体の外部に配置」されたものに相当する。
　引用発明２の「中空の登り台」は，空洞を形成する立体の内部と外部に，それぞれ異なる遊具を配置しているといえるから，本願発明の「複数の遊具を配置する複合体」及び「遊具複合体」に相当する。
　以上のことより，両者は，
　「複数の遊具を配置する複合体であって，空洞を形成する立体の内部と外部に，それぞれ異なる遊具を配置することを特徴とする遊具複合体。」
　である点で一致し，相違点はない。
　（３）本願発明と引用発明３とを対比する。
　引用発明３の「（登り台の上方を被套するトラスにより骨組みされた）ドーム構造体」内側の空間の部分は，本願発明の「空洞」に相当する。
　引用発明３の「ドーム構造体」の部分は，本願発明の「（空洞を形成する）立体」に相当する。
　引用発明３の「登り台」は，本願発明の「遊具」のうち「立体の内部に配置」されたものに相当する。
　引用発明３の「ネット」は，本願発明の「遊具」のうち「立体の外部に配置」されたものに相当する。
　引用発明３の「ドーム構造体」は，空洞を形成する立体の内部と外部に，それぞれ異なる遊具を配置しているといえるから，本願発明の「複数の遊具を配置する複合体」及び「遊具複合体」に相当する。
　以上のことより，両者は，
　「複数の遊具を配置する複合体であって，空洞を形成する立体の内部と外部に，それぞれ異なる遊具を配置することを特徴とする遊具複合体。」
　である点で一致し，相違点はない。
　（４）本願発明と引用発明４とを対比する。
　引用発明４の「筐体の内部」は，本願発明の「空洞」に相当する。
　引用発明４の「筐体」は，本願発明の「（空洞を形成する）立体」に相当する。
　引用発明４の「木片」は，本願発明の「遊具」のうち「立体の内部に配置」されたものに相当する。
　引用発明４の「（外面側に設けられた）吊り具」は，本願発明の「遊具」のうち「立体の外部に配置」されたものに相当する。
　引用発明４の「筐体」は，空洞を形成する立体の内部と外部に，それぞれ異なる遊具を配置しているといえるから，本願発明の「複数の遊具を配置する複合体」及び「遊具複合体」に相当する。
　以上のことより，両者は，
　「複数の遊具を配置する複合体であって，空洞を形成する立体の内部と外部に，それぞれ異なる遊具を配置することを特徴とする遊具複合体。」
　である点で一致し，相違点はない。
　（５）本願発明と引用発明５とを対比する。
　引用発明５の「船体内」は，本願発明の「空洞」に相当する。
　引用発明５の「船体」は，本願発明の「（空洞を形成する）立体」に相当する。
　引用発明５の「オール」は，本願発明の「遊具」のうち「立体の内部に配置」されたものに相当する。
　引用発明５の「錨」，「ネット」，「見張台」，「船楼」，「吊り橋」，「マスト」は，本願発明の「遊具」のうち「立体の外部に配置」されたものに相当する。
　引用発明５の「船体」は，空洞を形成する立体の内部と外部に，それぞれ異なる遊具を配置しているといえるから，本願発明の「複数の遊具を配置する複合体」及び「遊具複合体」に相当する。
　以上のことより，両者は，
　「複数の遊具を配置する複合体であって，空洞を形成する立体の内部と外部に，それぞれ異なる遊具を配置することを特徴とする遊具複合体。」
　である点で一致し，相違点はない。
　４　令和２年８月２４日に出願人が提出した意見書について
　令和２年８月２４日に出願人が提出した意見書において，出願人は「（本願発明は）〔空洞を形成する立体〕，〔立体の内部と外部に異なる遊具を配置〕の２つの条件を主張するものである」旨の主張を行っている。
　そして，引用発明１ないし５は，いずれも「空洞を形成する立体」を有し，「立体の内部と外部に異なる遊具を配置」したものであり，本願発明と同様に「空洞立体の内外部利用の設置容量枠を介して，少しでも多くの異なる遊具活用を多種多様に創出，場所に適応可能な設置容量枠での遊具の活用が楽しめるように工夫をした」といえるものである。
　また，「遊具」という発明特定事項に関し，「遊具」とは，「遊戯に用いる器具。遊び道具。」と定義される語句であるから，引用発明１ないし５の「空洞を形成する立体の内部と外部に配置された異なる遊具」は，すべて上記定義に当てはまる「遊具」である。
　したがって，出願人の上記主張は当を得ないものである。
　第３　むすび
　以上のとおり，本願発明１は，引用発明１，または引用発明２，または引用発明３，または引用発明４，または引用発明５であるから，特許法第２９条第１項第３号に該当し，特許を受けることができず，拒絶されるべきものである。
　よって，結論のとおり審決する。